(57)【要約】【課題】  瞬間的な衝撃力がブレーキ側クラッチ部に付与されても、円筒ころによる出力軸のロック状態およびその解除を確実に行い、かつ、耐久性の向上を図る。【解決手段】  レバー操作により入力される回転トルクの伝達および遮断を制御するレバー側クラッチ部１１と、レバー側クラッチ部１１からの回転トルクを出力側へ伝達すると共に、出力側から逆入力される回転トルクを遮断するブレーキ側クラッチ部１２とからなり、ブレーキ側クラッチ部１２は、回転が拘束された外輪２３と、その外輪２３に対して回転自在に配置され、レバー側クラッチ部１１からの回転トルクを出力する出力軸２２と、外輪２３と出力軸２２との間に係合および離脱自在に配置され、出力軸２２から逆入力される回転トルクの遮断とレバー側クラッチ部１１から入力される回転トルクの伝達とを制御する円筒ころ２７とを備え、外輪２３の内周面２３ａは、その表面硬度と表面から０．２ｍｍの深さ硬度との差をＨＶ１００〜２００とする。【選択図】    図１
2015190573.tif 000002
【特許請求の範囲】
【請求項１】
入力側に設けられ、レバー操作により入力される回転トルクの伝達および遮断を制御するレバー側クラッチ部と、出力側に設けられ、前記レバー側クラッチ部からの回転トルクを出力側へ伝達すると共に、出力側から逆入力される回転トルクを遮断するブレーキ側クラッチ部とからなり、
前記ブレーキ側クラッチ部は、回転が拘束された静止部材と、前記静止部材に対して回転自在に配置され、前記レバー側クラッチ部からの回転トルクを出力する出力部材と、静止部材と前記出力部材との間に係合および離脱自在に配置され、出力部材から逆入力される回転トルクの遮断とレバー側クラッチ部から入力される回転トルクの伝達とを制御する係合子とを備え、前記静止部材および出力部材の少なくとも一方の係合子との接触部は、その表面硬度と表面から０．２ｍｍの深さ硬度との差をＨＶ１００〜２００としたことを特徴とするクラッチユニット。
【請求項２】
前記接触部の表面硬度は、ＨＶ６００〜７５０である請求項１に記載のクラッチユニット。
【請求項３】
前記レバー側クラッチ部と前記ブレーキ側クラッチ部が自動車用シートリフタ部に組み込まれている請求項１又は２に記載のクラッチユニット。
【発明の詳細な説明】
【技術分野】
【０００１】
本発明は、レバー操作により回転トルクが入力されるレバー側クラッチ部と、そのレバー側クラッチ部からの回転トルクを出力側へ伝達すると共に、出力側からの回転トルクを遮断するブレーキ側クラッチ部とを備えたクラッチユニットに関する。
【背景技術】
【０００２】
一般に、円筒ころやボール等の係合子を用いるクラッチユニットにおいては、入力部材と出力部材との間にクラッチ部が配設される。このクラッチ部は、前述の入力部材と出力部材との間で円筒ころやボール等の係合子を係合および離脱させることによって、回転トルクの伝達および遮断を制御する構成になっている。
【０００３】
本出願人は、レバー操作により座席シートを上下調整する自動車用シートリフタ部に組み込まれるクラッチユニットを先に提案している（例えば、特許文献１参照）。この特許文献１に開示された従来のクラッチユニットは、レバー操作により回転トルクが入力されるレバー側クラッチ部と、そのレバー側クラッチ部からの回転トルクを出力側へ伝達すると共に、出力側からの回転トルクを遮断するブレーキ側クラッチ部とを備えている。
【０００４】
レバー側クラッチ部は、レバー操作により回転トルクが入力される外輪と、その外輪から入力される回転トルクをブレーキ側クラッチ部に伝達する内輪と、外輪と内輪との間に形成された楔すきまでの係合および離脱により外輪からの回転トルクの伝達および遮断を制御する複数の円筒ころと、それら円筒ころを円周方向等間隔に保持する保持器と、外輪からの回転トルクで弾性力を蓄積し、その回転トルクの入力がなくなると、蓄積された弾性力で保持器および外輪を中立状態に復帰させる二つのセンタリングばねとで主要部が構成されている。
【０００５】
ブレーキ側クラッチ部は、回転が拘束された外輪と、回転トルクが出力される出力軸と、外輪と出力軸との間に形成された楔すきまでの係合および離脱により出力軸からの回転トルクの遮断とレバー側クラッチ部からの回転トルクの伝達とを制御する複数対の円筒ころと、各対の円筒ころ間に介挿され、それら円筒ころ同士に離反力を付勢する板ばねとで主要部が構成されている。なお、レバー側クラッチ部の内輪は、レバー側クラッチ部からの回転トルクをブレーキ側クラッチ部に伝達する機能と、外輪と出力軸との間に配された各対の円筒ころを円周方向等間隔に保持する機能とを備えている。
【０００６】
レバー側クラッチ部では、レバー操作により外輪に回転トルクが入力されると、円筒ころが外輪と内輪との間の楔すきまに係合し、その円筒ころを介して内輪に回転トルクが伝達されて内輪が回転する。この時、外輪および保持器の回転に伴って両センタリングばねに弾性力が蓄積される。その回転トルクの入力がなくなると、両センタリングばねの弾性力により保持器および外輪が中立状態に復帰する一方で、内輪は、与えられた回転位置をそのまま維持する。従って、この外輪の回転繰り返し、つまり、操作レバーのポンピング操作により、内輪は寸動回転する。
【０００７】
ブレーキ側クラッチ部では、座席シートへの着座により出力軸に回転トルクが逆入力されると、円筒ころが出力軸と外輪との間の楔すきまと係合して出力軸が外輪に対してロックされる。このようにして、出力軸から逆入力された回転トルクは、ブレーキ側クラッチ部でロックされてレバー側クラッチ部への還流が遮断される。これにより、座席シートは上下調整が不可となる。
【０００８】
一方、レバー側クラッチ部から回転トルクが内輪に入力されると、内輪が回転して円筒ころと当接して板ばねの弾性力に抗して押圧することにより、その円筒ころが外輪と出力軸間の楔すきまから離脱してロック状態が解除され、出力軸は回転可能となる。内輪がさらに回転することにより、内輪からの回転トルクが出力軸に伝達され、出力軸が回転する。つまり、内輪が寸動回転すると、出力軸も寸動回転することになる。この出力軸の寸動回転により座席シートの上下調整が可能となる。
【先行技術文献】
【特許文献】
【０００９】
【特許文献１】特開２０１２−６７７９３号公報
【発明の概要】
【発明が解決しようとする課題】
【００１０】
ところで、自動車用シートリフタ部に組み込まれる従来のクラッチユニットのブレーキ側クラッチ部では、車両後方からの追突などによる衝撃力が瞬間的に加わった場合、外輪および出力軸の円筒ころとの接触部が柔らかいと、円筒ころが外輪と出力軸との間の楔すきまに食い込んでしまい、出力軸のロック解除時に円筒ころを楔すきまから離脱させることが困難となる。また、出力軸のロック状態およびその解除が繰り返されることにより、外輪および出力軸の円筒ころとの接触部が早期に摩耗する可能性がある。逆に、外輪および出力軸の円筒ころとの接触部が硬いと、出力軸のロック時に円筒ころが外輪と出力軸との間の楔すきまから瞬間的に弾かれてしまい、円筒ころの係合による出力軸のロック状態を確保することが困難となる。以上のことから、外輪および出力軸の円筒ころとの接触部の硬度を適正に規定することが要望されている。
【００１１】
そこで、本発明は前述の要望に鑑みて提案されたもので、その目的とするところは、瞬間的な衝撃力がブレーキ側クラッチ部に付与されても、円筒ころによる出力軸のロック状態およびその解除を確実に行え、かつ、耐久性に優れたクラッチユニットを提供することにある。
【課題を解決するための手段】
【００１２】
本発明に係るクラッチユニットは、入力側に設けられ、レバー操作により入力される回転トルクの伝達および遮断を制御するレバー側クラッチ部と、出力側に設けられ、レバー側クラッチ部からの回転トルクを出力側へ伝達すると共に、出力側から逆入力される回転トルクを遮断するブレーキ側クラッチ部とからなる基本構成を具備する。
【００１３】
前述の目的を達成するための技術的手段として、本願発明のクラッチユニットにおけるブレーキ側クラッチ部は、回転が拘束された静止部材と、その静止部材に対して回転自在に配置され、レバー側クラッチ部から入力される回転トルクを出力する出力部材と、静止部材と出力部材との間に係合および離脱可能に配置され、出力部材から逆入力される回転トルクの遮断とレバー側クラッチ部から入力される回転トルクの伝達とを制御する係合子とを備え、静止部材および出力部材の少なくとも一方の係合子との接触部は、その表面硬度と表面から０．２ｍｍの深さ硬度との差をＨＶ１００〜２００としたことを特徴とする。なお、本発明における接触部の表面硬度は、ＨＶ６００〜７５０であることが望ましい。
【００１４】
本発明では、静止部材および出力部材の少なくとも一方の係合子との接触部について、その表面硬度と表面から０．２ｍｍの深さ硬度との差をＨＶ１００〜２００としたことにより、静止部材および出力部材の少なくとも一方の係合子との接触部の硬度を適正に規定することで、瞬間的な衝撃力がブレーキ側クラッチ部に付与されても、係合子による出力部材のロック状態およびその解除を確実に行え、かつ、耐久性の向上が図れる。なお、この接触部の硬度規定は、静止部材の係合子との接触部、出力部材の係合子との接触部、あるいは、静止部材および出力部材の両方の係合子との接触部のいずれであってもよい。
【００１５】
本発明に係るクラッチユニットは、レバー側クラッチ部およびブレーキ側クラッチ部を自動車用シートリフタ部に組み込むことで自動車用途として適している。
【発明の効果】
【００１６】
本発明によれば、静止部材および出力部材の少なくとも一方の係合子との接触部について、その表面硬度と表面から０．２ｍｍの深さ硬度との差をＨＶ１００〜２００としたことにより、静止部材および出力部材の少なくとも一方の係合子との接触部の硬度を適正に規定することで、瞬間的な衝撃力がブレーキ側クラッチ部に付与されても、係合子による出力部材のロック状態およびその解除を確実に行え、かつ、耐久性の向上が図れる。その結果、ブレーキ側クラッチ部での動作の安定化および長寿命化を実現できる。
【図面の簡単な説明】
【００１７】
【図１】本発明の実施形態で、クラッチユニットの全体構成を示す断面図である。
【図２】図１のＡ−Ａ線に沿う断面図である。
【図３】図１のＢ−Ｂ線に沿う断面図である。
【図４】（Ａ）は作動耐久試験において外輪の内周面の表面硬度に対する摩耗量を示す表で、（Ｂ）は（Ａ）の試験結果をプロットしたグラフである。
【図５】（Ａ）は衝撃負荷試験において外輪の内周面の表面硬度に対する発生トルクを示す表で、（Ｂ）は（Ａ）の試験結果をプロットしたグラフである。
【図６】（Ａ）は表面硬度がＨＶ６００の場合、表面から０．２ｍｍの深さ硬度に対する発生トルクを示す表で、（Ｂ）は（Ａ）の試験結果をプロットしたグラフである。
【図７】（Ａ）は表面硬度がＨＶ７５０の場合、表面から０．２ｍｍの深さ硬度に対する発生トルクを示す表で、（Ｂ）は（Ａ）の試験結果をプロットしたグラフである。
【図８】自動車の座席シートを示す斜視図である。
【図９】シートリフタ部の一構造例を示す概念図である。
【図１０】図９の要部拡大図である。
【発明を実施するための形態】
【００１８】
本発明の実施形態におけるクラッチユニット１０は、図１に示すように、入力側に設けられたレバー側クラッチ部１１と、出力側に設けられたブレーキ側クラッチ部１２とをユニット化した構造となっている。レバー側クラッチ部１１は、レバー操作により入力される回転トルクの伝達および遮断を制御する。ブレーキ側クラッチ部１２は、レバー側クラッチ部１１からの回転トルクを出力側へ伝達すると共に、出力側から逆入力される回転トルクを遮断する逆入力遮断機能を有する。
【００１９】
レバー側クラッチ部１１は、図１および図２に示すように、レバー操作により回転トルクが入力される入力部材としての側板１３および外輪１４と、その外輪１４から入力される回転トルクをブレーキ側クラッチ部１２に伝達する連結部材としての内輪１５と、外輪１４と内輪１５との間での係合および離脱により外輪１４からの回転トルクの伝達および遮断を制御する複数の円筒ころ１６と、複数の円筒ころ１６を円周方向等間隔に保持する保持器１７と、その保持器１７を中立状態に復帰させるための内側センタリングばね１８と、外輪１４を中立状態に復帰させるための外側センタリングばね１９とを具備する。
【００２０】
このレバー側クラッチ部１１において、側板１３の外周縁部に形成された爪部１３ａを、外輪１４の外周縁部に形成された切欠き凹部１４ａに挿入して加締めることにより、側板１３を外輪１４に固定し、レバー側クラッチ部１１の入力部材として一体化している。外輪１４の内周には、複数のカム面１４ｂが円周方向等間隔に形成されている。外輪１４への回転トルクの入力は、側板１３にねじ止め等により取り付けた上下方向揺動可能な操作レバーにより行われる。
【００２１】
内輪１５は、出力軸２２が挿通される筒状部１５ａと、その筒状部１５ａのブレーキ側端部を径方向外側に延在させた拡径部１５ｂと、その拡径部１５ｂの外周端部を軸方向に屈曲させることにより突出した複数の柱部１５ｃ（図３参照）とからなる。内輪１５の筒状部１５ａの外周面１５ｄと外輪１４のカム面１４ｂとの間に楔すきま２０が形成され、その楔すきま２０に前述の円筒ころ１６が保持器１７により円周方向等間隔で配設されている。
【００２２】
内側センタリングばね１８は、保持器１７とブレーキ側クラッチ部１２の静止部材であるカバー２４との間に配設された断面円形のＣ字状弾性部材で、その両端部を保持器１７およびカバー２４の一部に係止させている。この内側センタリングばね１８は、レバー操作により外輪１４から入力される回転トルクの作用時、静止状態にあるカバー２４に対して、外輪１４に追従する保持器１７の回転に伴って押し拡げられて弾性力が蓄積され、外輪１４から入力される回転トルクの開放時、その弾性力により保持器１７を中立状態に復帰させる。
【００２３】
内側センタリングばね１８の外径側に位置する外側センタリングばね１９は、外輪１４と前述のカバー２４との間に配設されたＣ字状帯板弾性部材で、その両端部を外輪１４およびカバー２４の一部に係止させている。この外側センタリングばね１９は、レバー操作により外輪１４から入力される回転トルクの作用時、静止状態にあるカバー２４に対して、外輪１４の回転に伴って押し拡げられて弾性力が蓄積され、外輪１４から入力される回転トルクの開放時、その弾性力により外輪１４を中立状態に復帰させる。
【００２４】
保持器１７は、円筒ころ１６を収容する複数のポケット１７ａが円周方向等間隔に形成された樹脂製の円筒状部材である。なお、この保持器１７の一方の軸方向端部、つまり、ブレーキ側クラッチ部１２のカバー２４側の軸方向端部には、前述の内側センタリングばね１８の両端部を係止させている。保持器１７は、径方向で外輪１４と内輪１５との間に配され、軸方向で前述の外輪１４とブレーキ側クラッチ部１２のカバー２４との間に挟み込まれている。
【００２５】
ロック型と称されるタイプで逆入力遮断機能を有するブレーキ側クラッチ部１２は、図１および図３に示すように、レバー側クラッチ部１１からの回転トルクが入力される連結部材としての内輪１５と、レバー側クラッチ部１１からの回転トルクが出力される出力部材としての出力軸２２と、回転が拘束された静止部材としての外輪２３、カバー２４および側板２５と、外輪２３と出力軸２２との間での係合および離脱により、出力軸２２から逆入力される回転トルクの遮断と内輪１５から入力される回転トルクの伝達とを制御する複数対の円筒ころ２７、および各対の円筒ころ２７同士に円周方向への離反力を付勢する断面Ｎ字形の板ばね２８とで主要部が構成されている。
【００２６】
出力軸２２は、内輪１５の筒状部１５ａが外挿された軸部２２ａの軸方向中央部位に、径方向外側に延びて拡径した大径部２２ｂが一体的に形成されている。この出力軸２２の大径部２２ｂの側板２５と対向する軸方向端面には環状凹部２２ｃが形成され、この環状凹部２２ｃに摩擦リング３９が締め代をもって圧入されている。この大径部２２ｂからブレーキ側クラッチ部１２へ延びる軸部２２ａの端部には、シートリフタ部４１（図６〜図８参照）と連結するためのピニオンギヤ２２ｄが同軸的に形成されている。また、大径部２２ｂからレバー側クラッチ部１１へ延びる軸部２２ａの端部にウェーブワッシャ３０を介してワッシャ３１を圧入することにより、レバー側クラッチ部１１の構成部品を抜け止めした構造を具備する。
【００２７】
出力軸２２の大径部２２ｂの外周面には複数（例えば６つ）の平坦なカム面２２ｅが円周方向等間隔に形成されている。大径部２２ｂのカム面２２ｅと外輪２３の内周面２３ａとの間で設けられた楔すきま２６に、二つの円筒ころ２７とそれら円筒ころ２７間に介挿された一つの板ばね２８とがそれぞれ配されている。円筒ころ２７および板ばね２８は、外輪１４から入力される回転トルクを出力軸２２に伝達する機能を持つ内輪１５の柱部１５ｃにより円周方向等間隔に配設されている。つまり、内輪１５の柱部１５ｃは、円筒ころ２７および板ばね２８をポケット１５ｆに収容して円周方向等間隔に保持することにより保持器として機能する。出力軸２２の大径部２２ｂには、内輪１５からの回転トルクを出力軸２２に伝達するための突起２２ｆが設けられている。突起２２ｆは、内輪１５の拡径部１５ｂに形成された孔１５ｅにクリアランスをもって挿入配置されている。
【００２８】
外輪２３、カバー２４および側板２５は、厚肉板状の外輪２３の外周縁部に形成された切欠き凹部２３ｂと、カバー２４の外周縁部に形成された切欠き凹部２４ａとに、側板２５の外周縁部に形成された爪部２５ａを挿入して加締めることにより、外輪２３およびカバー２４に側板２５を固定し、ブレーキ側クラッチ部１２の静止部材として一体化されている。
【００２９】
制動部材としての摩擦リング３９は、例えば、樹脂材を射出成形などによりリング状に形成した部材であり、側板２５に固着されている。この摩擦リング３９は、出力軸２２の大径部２２ｂに形成された環状凹部２２ｃの内周面２２ｇに締め代をもって圧入される。摩擦リング３９の外周面３９ｂと出力軸２２の環状凹部２２ｃの内周面２２ｇとの間に生じる摩擦力によって、レバー操作時、出力軸２２に回転抵抗が付与される。
【００３０】
前述の構成からなるレバー側クラッチ部１１では、レバー操作により外輪１４に回転トルクが入力されると、円筒ころ１６がその外輪１４と内輪１５との間の楔すきま２０に係合し、その円筒ころ１６を介して内輪１５に回転トルクが伝達されて内輪１５が回転する。この時、外輪１４および保持器１７の回転に伴って両センタリングばね１８，１９に弾性力が蓄積される。その回転トルクの入力がなくなると、両センタリングばね１８，１９の弾性力により保持器１７および外輪１４が中立状態に復帰する一方で、内輪１５は、与えられた回転位置をそのまま維持する。従って、この外輪１４の回転繰り返し、つまり、操作レバーのポンピング操作により、内輪１５は寸動回転する。
【００３１】
前述の構成からなるブレーキ側クラッチ部１２では、座席シートへの着座により出力軸２２に回転トルクが逆入力されても、円筒ころ２７がその出力軸２２と外輪２３との間の楔すきま２６と係合して出力軸２２が外輪２３に対してロックされる。このようにして、出力軸２２から逆入力された回転トルクは、ブレーキ側クラッチ部１２によってロックされてレバー側クラッチ部１１への逆入力トルクの還流が遮断される。これにより、座席シートは上下調整が不可となる。
【００３２】
一方、レバー側クラッチ部１１からの回転トルクが内輪１５に入力されると、内輪１５が円筒ころ２７と当接して板ばね２８の弾性力に抗して押圧することにより、円筒ころ２７が楔すきま２６から離脱して出力軸２２のロック状態が解除され、出力軸２２は回転可能となる。内輪１５がさらに回転すると、内輪１５の拡径部１５ｂの孔１５ｅと出力軸２２の大径部２２ｂの突起２２ｆとのクリアランスが詰まって内輪１５の拡径部１５ｂが出力軸２２の突起２２ｆに回転方向で当接することにより、レバー側クラッチ部１１からの回転トルクは、突起２２ｆを介して出力軸２２に伝達されてその出力軸２２が回転する。つまり、内輪１５が寸動回転すると、出力軸２２も寸動回転することになる。この出力軸２２の寸動回転により座席シートの上下調整が可能となる。
【００３３】
以上で説明したブレーキ側クラッチ部１２において、外輪２３の円筒ころ２７との接触部、例えば、外輪２３の内周面２３ａは、その表面硬度と表面から０．２ｍｍの深さ硬度との差をＨＶ１００〜２００としている。なお、外輪２３の内周面２３ａの表面硬度は、ＨＶ６００〜７５０、好ましくは、ＨＶ７００が望ましい。この表面硬度に対する深さ硬度の設定は、外輪２３の素材を炭素鋼とし、外輪２３の内周面２３ａの熱処理として、浸炭焼入れ焼き戻しを行うことにより実現できる。この熱処理中、雰囲気ガスにアンモニアを添加する窒化処理を行うことも可能であり、このような窒化処理を行えば、深さ硬度のばらつきを少なくして深さ硬度の安定化が図れる。なお、この実施形態では、外輪２３の円筒ころ２７との接触部として、外輪２３の内周面２３ａについて説明するが、出力軸２２の円筒ころ２７との接触部、つまり、出力軸２２の大径部２２ｂの外周面であるカム面２２ｅについても同様に規定することが可能である。
【００３４】
本出願人は、外輪２３の内周面２３ａの表面硬度について、最適な数値範囲を規定するため、作動耐久試験および衝撃負荷試験を実施した。作動耐久試験は、ブレーキ側クラッチ部１２でロック状態およびその解除を繰り返す作動により外輪２３の内周面２３ａに発生する摩耗を測定するものであり、衝撃負荷試験は、車両衝突時の衝撃荷重がブレーキ側クラッチ部１２に入力された場合、そのブレーキ側クラッチ部１２のロック状態およびその解除を確実に行うために必要なトルクを測定するものである。
【００３５】
図４（Ａ）は、作動耐久試験において、外輪２３の内周面２３ａの表面硬度に対する摩耗量を示すもので、図４（Ｂ）は、図４（Ａ）の試験結果をプロットしたものである。この作動耐久試験では、外輪２３の内周面２３ａの摩耗量の限界値を、ブレーキ側クラッチ部１２での作動性および耐久性の点から、例えば５μｍとしている。この試験結果から、外輪２３の内周面２３ａの摩耗量が５μｍ以下となるのは、外輪２３の内周面２３ａの表面硬度がＨＶ６００以上であることが判明した。この表面硬度がＨＶ６００よりも小さいと、外輪２３の内周面２３ａの摩耗量が大きくなり、作動耐久性の向上が困難となる知見を得た。
【００３６】
図５（Ａ）は、衝撃負荷試験において、外輪２３の内周面２３ａの表面硬度に対する発生トルクを示すもので、図５（Ｂ）は、図５（Ａ）の試験結果をプロットしたものである。この衝撃負荷試験では、ブレーキ側クラッチ部１２に発生するトルクについて、ロック状態およびその解除を確実に行うために必要する最低限トルクを、例えば２５０Ｎｍとしている。この試験結果から、ブレーキ側クラッチ部１２に発生するトルクが２５０Ｎｍ以上となるのは、外輪２３の内周面２３ａの表面硬度がＨＶ７５０以下であることが判明した。この表面硬度がＨＶ７５０よりも大きいと、外輪２３の内周面２３ａが硬すぎるため、出力軸２２のロック時に円筒ころ２７が楔すきま２６から瞬間的に弾かれてしまい、円筒ころ２７の係合による出力軸２２のロック状態を確保することが困難となる知見を得た。
【００３７】
また、本出願人は、外輪２３の内周面２３ａの表面硬度と表面から０．２ｍｍの深さ硬度との差について、最適な数値範囲を規定するため、衝撃負荷試験を行った。この衝撃負荷試験は、前述の外輪２３の内周面２３ａの表面硬度の臨界値であるＨＶ６００とＨＶ７５０の場合について行った。この衝撃負荷試験においても、ブレーキ側クラッチ部１２に発生するトルクについて、ロック状態およびその解除を確実に行うために必要する最低限トルクを２５０Ｎｍとしている。
【００３８】
図６（Ａ）は、表面硬度がＨＶ６００の場合、表面から０．２ｍｍの深さ硬度に対する発生トルクを示し、図６（Ｂ）は、図６（Ａ）の試験結果をプロットしたものである。また、図７（Ａ）は、表面硬度がＨＶ７５０の場合、表面から０．２ｍｍの深さ硬度に対する発生トルクを示し、図７（Ｂ）は、図７（Ａ）の試験結果をプロットしたものである。この試験結果から、ブレーキ側クラッチ部１２に発生するトルクが２５０Ｎｍ以上となるのは、表面硬度がＨＶ６００の場合、表面から０．２ｍｍの深さ硬度がＨＶ４００〜５００であり、表面硬度がＨＶ７５０の場合、表面から０．２ｍｍの深さ硬度がＨＶ５５０〜６５０であることが判明した。つまり、表面硬度がＨＶ６００とＨＶ７５０のいずれの場合も、外輪２３の内周面２３ａの表面硬度とその表面から０．２ｍｍの深さ硬度との差がＨＶ１００〜２００であることが判明した。
【００３９】
外輪２３の内周面２３ａの表面硬度と表面から０．２ｍｍの深さ硬度との差がＨＶ１００よりも小さいと、外輪２３の内周面２３ａが硬すぎるため、出力軸２２のロック時に円筒ころ２７が楔すきま２６から瞬間的に弾かれてしまい、円筒ころ２７の係合による出力軸２２のロック状態を確保することが困難となる知見を得た。また、表面硬度と深さ硬度との差がＨＶ２００よりも大きいと、外輪２３の内周面２３ａが柔らかすぎるため、瞬間的な衝撃力が瞬間的に加わった場合、円筒ころ２７が楔すきま２６に食い込んでしまい、出力軸２２のロック解除時に円筒ころ２７を楔すきま２６から離脱させることが困難となる知見を得た。
【００４０】
以上の結果、外輪２３の内周面２３ａの表面硬度をＨＶ６００〜７５０とし、その表面硬度と表面から０．２ｍｍの深さ硬度との差をＨＶ１００〜２００とすることにより、車両後方からの追突などによる衝撃力がブレーキ側クラッチ部１２に瞬間的に加わった場合でも、円筒ころ２７が外輪２３と出力軸２２との間の楔すきま２６に食い込むことを抑制でき、出力軸２２のロック解除時に円筒ころ２７を楔すきま２６からスムーズに離脱させることが容易となる。また、出力軸２２のロック時、円筒ころ２７が楔すきま２６から瞬間的に弾かれることを抑制でき、円筒ころ２７の係合による出力軸２２のロック状態を確保することも容易となる。さらに、出力軸２２のロック状態およびその解除が繰り返されても、外輪２３の内周面２３ａが摩耗することも抑制できることが判明した。このように、外輪２３の内周面２３ａの硬度を適正に規定することで、瞬間的な衝撃力がブレーキ側クラッチ部１２に付与されても、円筒ころ２７による出力軸２２のロック状態およびその解除を確実に行え、かつ、耐久性の向上が図れるという知見を得た。
【００４１】
以上で詳述した構造を具備するクラッチユニット１０は、レバー操作により座席シート４０の高さ調整を行う自動車用シートリフタ部４１に組み込まれて使用される。図８は自動車の乗員室に装備される座席シート４０を示す。座席シート４０は着座シート４０ａと背もたれシート４０ｂとで構成され、着座シート４０ａの高さＨを調整するシートリフタ部４１などを備えている。着座シート４０ａの高さＨの調整はシートリフタ部４１の操作レバー４２によって行う。例えば、座席シート４０の座面を低くする場合、レバー側クラッチ部１１でのレバー操作、つまり、操作レバー４２を下側へ揺動させる操作により、ブレーキ側クラッチ部１２のロック状態を解除し、その際に出力軸２２に適正な回転抵抗を付与することで、座席シート４０の座面を搭乗者にとって違和感なくスムーズに低くするようにしている。
【００４２】
図９はシートリフタ部４１の一構造例を概念的に示す。シートスライドアジャスタ４１ｂのスライド可動部材４１ｇにリンク部材４１ｃ，４１ｄの一端がそれぞれ回動自在に枢着される。リンク部材４１ｃ，４１ｄの他端はそれぞれ着座シート４０ａに回動自在に枢着される。リンク部材４１ｃの他端はリンク部材４１ｅを介してセクターギヤ４１ｆに回動自在に枢着される。セクターギヤ４１ｆは着座シート４０ａに回動自在に枢着され、支点４１ｈ回りに揺動可能である（図１０参照）。リンク部材４１ｄの他端は着座シート４０ａに回動自在に枢着される。
【００４３】
図１０において、操作レバー４２を上側へ揺動操作すると、その方向の入力トルクがクラッチユニット１０を介してピニオンギヤ２２ｄに伝達され、ピニオンギヤ２２ｄが反時計方向に回動する。そして、ピニオンギヤ２２ｄと噛合するセクターギヤ４１ｆが時計方向に揺動して、リンク部材４１ｃの他端をリンク部材４１ｅを介して引っ張る。その結果、リンク部材４１ｃとリンク部材４１ｄが共に起立して、着座シート４０ａの座面が高くなる。
【００４４】
このようにして、着座シート４０ａの高さＨを調整した後、操作レバー４２を開放すると、操作レバー４２が両センタリングばね１８，１９の弾性力によって下側へ回動して元の位置（中立状態）に戻る。なお、操作レバー４２を下側へ揺動操作した場合は、上記とは逆の動作によって、着座シート４０ａの座面が低くなる。また、高さ調整後に操作レバー４２を開放すると、操作レバー４２が上側へ回動して元の位置（中立状態）に戻る。
【００４５】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００４６】
１１  レバー側クラッチ部
１２  ブレーキ側クラッチ部
２２  出力部材（出力軸）
２３  静止部材（外輪）
２７  係合子（円筒ころ）
４１  シートリフタ部
【図１】
2015190573.tif 000003
【図２】
2015190573.tif 000004
【図３】
2015190573.tif 000005
【図４】
2015190573.tif 000006
【図５】
2015190573.tif 000007
【図６】
2015190573.tif 000008
【図７】
2015190573.tif 000009
【図８】
2015190573.tif 000010
【図９】
2015190573.tif 000011
【図１０】
2015190573.tif 000012